(57)【要約】      （修正有）【課題】リテーナの設計変更が不要となる充電用インレットを提供する。【解決手段】充電用インレット１は、端子接続部４１と、この端子接続部４１から連なるバレル部とを備える急速充電用端子４０と、急速充電用端子４０を保持するインレットハウジングと、インレットハウジングに組み付けられる第２リテーナ５０とを備える。第２リテーナ５０は、端子接続部４１の軸方向に対して垂直な方向に変位可能な抜け止め壁を備える。抜け止め壁は、一端に端子接続部４１が進入可能な端子進入口を有し、端子接続部４１の軸方向に対して垂直な方向に延びる抜け止めスリットを備える。端子接続部４１が、抜け止めスリットの内部に受け入れられるスリット嵌合部と、スリット嵌合部に隣接して配置され、端子接続部４１の軸方向に対して垂直方向に延びる第２フランジとを備える。【選択図】図３
2019102325.tif 000002
【特許請求の範囲】
【請求項１】
端子接続部と、前記端子接続部から連なり、電線に接続される電線接続部とを備える端子と、
前記端子を保持する端子収容部を備えるハウジングと、
前記ハウジングに組み付けられて前記端子の前記ハウジングからの離脱を規制するリテーナとを備え、
前記リテーナが、前記端子接続部の軸方向に対して垂直な方向に変位可能な抜け止め壁を備え、
前記抜け止め壁が、一端に前記端子接続部が進入可能な端子進入口を有するとともに、前記端子接続部の軸方向に対して垂直な方向に延びるスリット部を備え、
前記端子接続部が、前記スリット部の内部に受け入れられるスリット嵌合部と、前記スリット嵌合部に隣接して配置され、前記端子接続部の軸方向に対して垂直方向に延びるリテーナ受け壁とを備える充電用インレット。
【請求項２】
前記リテーナが、前記抜け止め壁から垂直に延びて前記ハウジングを囲む囲み壁を備え、前記抜け止め壁と前記囲み壁とが、内部に前記ハウジングを収容可能なハウジング収容部を構成しており、
前記ハウジング収容部が、前記端子進入口が配置されている一端に、前記ハウジングが進入可能なハウジング進入口を有している、請求項１に記載の充電用インレット。
【請求項３】
前記ハウジングが、前記囲み壁と対向する外壁面を有するとともに、
前記囲み壁および前記外壁面のうちいずれか一方に、前記端子接続部の軸方向に対して垂直な方向に延びる係合部が配され、他方に、前記係合部に係合する被係合部が配されている、請求項２に記載の充電用インレット。
【発明の詳細な説明】
【技術分野】
【０００１】
本明細書によって開示される技術は、充電用インレットに関する。
【背景技術】
【０００２】
充電用インレットは、電気自動車やハイブリッド車等の車両に取り付けられ、車両に搭載されたバッテリを充電するために用いられる車両側コネクタであって、端子と、この端子を収容可能な端子収容部を備えるインレットハウジングとを備えている。端子は、充電コネクタに備えられた相手側端子と接続される端子接続部と、電線を接続可能な配線接続部と、フランジ状の突き当たり部とを備え、端子収容部の内部に収容されている。
【０００３】
インレットハウジングの後端には、端子の抜け止めのためのリテーナが後方から嵌め付けられている。リテーナは、端子収容部の内部に挿入される案内部を備えている。案内部は、配線接続部と、この配線接続部に接続された電線とを内部に挿通可能な略円筒状をなしている。案内部が端子収容部に挿入されて端子の突き当たり部に当接することにより、端子の端子収容部からの離脱が規制される（特許文献１参照）。
【先行技術文献】
【特許文献】
【０００４】
【特許文献１】特開２０１５−１５８９８２号公報
【発明の概要】
【発明が解決しようとする課題】
【０００５】
上記の構成では、案内部の内径および外径を、内部に挿通される配線接続部の外径、および、案内部が突き当たるフランジ部の外径に合わせる必要がある。このため、充電用インレットに接続される電線の太さに設計変更があった場合に、電線の太さにあわせて配線接続部の設計が変更されると、リテーナの設計変更を行う必要がある。
【課題を解決するための手段】
【０００６】
本明細書によって開示される充電用インレットは、端子接続部と、前記端子接続部から連なり、電線に接続される電線接続部とを備える端子と、前記端子を保持する端子収容部を備えるハウジングと、前記ハウジングに組み付けられて前記端子の前記ハウジングからの離脱を規制するリテーナとを備え、前記リテーナが、前記端子接続部の軸方向に対して垂直な方向に変位可能な抜け止め壁を備え、前記抜け止め壁が、一端に前記端子接続部が進入可能な端子進入口を有するとともに、前記端子接続部の軸方向に対して垂直な方向に延びるスリット部を備え、前記端子接続部が、前記スリット部の内部に受け入れられるスリット嵌合部と、前記スリット嵌合部に隣接して配置され、前記端子接続部の軸方向に対して垂直方向に延びるリテーナ受け壁とを備える。
【０００７】
上記の構成によれば、リテーナが、端子接続部の軸方向に対して垂直な方向（すなわち、端子のハウジングに対する挿抜方向に対して垂直な方向）から組み付けられるようになっている。そして、リテーナ受け壁に対して、抜け止め壁におけるスリット部の周縁部が係止することによって、端子のハウジングからの抜け止めが図られる。このような構成によれば、配線接続部の設計が異なる複数種の端子間で、端子のスリット嵌合部とリテーナ受け壁の構成を共通化しておくことによって、充電用インレットに接続される電線の太さに設計変更があった場合であっても、リテーナの設計変更が不要となる。
【０００８】
上記の構成において、前記リテーナが、前記抜け止め壁から垂直に延びて前記ハウジングを囲む囲み壁を備え、前記抜け止め壁と前記囲み壁とが、内部に前記ハウジングを収容可能なハウジング収容部を構成しており、前記ハウジング収容部が、前記端子進入口が配置されている一端に、前記ハウジングが進入可能なハウジング進入口を有していても構わない。
【０００９】
このような構成によれば、スリット部とハウジング収容部とが、同じ側に開口部（端子進入口、ハウジング進入口）を有しているから、リテーナを、ハウジングに対して、端子接続部の軸方向に対して垂直な方向から組み付けることができる。
【００１０】
上記の構成において、前記ハウジングが、前記囲み壁と対向する外壁面を有するとともに、前記囲み壁および前記外壁面のうちいずれか一方に、前記端子接続部の軸方向に対して垂直な方向に延びる係合部が配され、他方に、前記係合部に係合する被係合部が配されていても構わない。
【００１１】
端子に接続される電線の径が大きい場合には、電線が引っ張られた場合に、端子に対して加わる力が大きくなりがちであり、端子を抜け止めしているリテーナに対しても大きな力が加わる。ここで、引っ張り力に抗してリテーナがハウジングから外れることを規制するためには、リテーナとハウジングとの係合部分（係合部と被係合部）を、端子の離脱方向に対して垂直な方向に長くすることで、リテーナとハウジングとの係り代を大きくすることが考えられる。しかし、リテーナをハウジングの後方から（すなわち、端子の挿抜方向と同じ方向から）嵌め付ける従来の構成において、このような構成を採用すると、リテーナをハウジングに嵌め付ける際の抵抗が大きくなってしまい、組み付け作業が困難となってしまったり、リテーナが破損してしまったりすることが懸念される。
【００１２】
これに対し、リテーナを、端子接続部の軸方向に対して垂直な方向から組み付ける構成では、リテーナとハウジングとの係合部分を、リテーナのハウジングに対する組み付け方向に沿う方向に大きくすることなく、端子の離脱方向に対して垂直な方向に長くすることができる。これにより、リテーナのハウジングに対する組付け作業が困難となることを避けつつ、リテーナとハウジングとの係り代を、端子の離脱方向に対して垂直な方向に大きくとり、大きな引っ張り力に抗してリテーナがハウジングから外れることを規制することができる。
【発明の効果】
【００１３】
本明細書によって開示される充電用インレットによれば、充電用インレットに接続される電線の太さに設計変更があった場合でも、リテーナの設計変更が不要となる。
【図面の簡単な説明】
【００１４】
【図１】実施形態の充電用インレットの斜視図−１
【図２】実施形態の充電用インレットの斜視図−２
【図３】実施形態の充電用インレットの分解斜視図
【図４】実施形態のインレットハウジングの正面図
【図５】実施形態のインレットハウジングの背面図
【図６】実施形態のインレットハウジングの側面図
【図７】実施形態の急速充電用端子の側面図
【図８】実施形態の第２リテーナの正面図
【図９】実施形態の第２リテーナの背面図
【図１０】実施形態の第２リテーナの側面図
【図１１】実施形態の第２リテーナの平面図
【図１２】実施形態の充電用インレットの正面図
【図１３】実施形態の充電用インレットの背面図
【図１４】図１３のＡ−Ａ線断面図
【図１５】図１４の円Ｒ１内の拡大図
【図１６】図１３のＢ−Ｂ線断面図
【図１７】実施形態の充電用インレットの側面図
【図１８】図１７のＣ−Ｃ線断面図
【図１９】図１７のＤ−Ｄ線断面図
【図２０】図１８の円Ｒ２内の拡大図
【発明を実施するための形態】
【００１５】
実施形態を、図１〜図２０を参照しつつ説明する。本実施形態の充電用インレット１は、電気自動車やハイブリッド車等の車両に取り付けられ、車両に搭載されたバッテリを充電するために用いられる車両側コネクタであって、普通充電用のコネクタと急速充電用のコネクタとが一体化された「Combined Charging System（コンボ方式）」に適合している。この充電用インレット１に対し、給電設備に備えられる給電側コネクタが嵌合接続されることでバッテリへの充電が行われるようになっている。
【００１６】
充電用インレット１は、図１および図１２に示すように、車両のボディパネルに固定されるインレットハウジング１０（ハウジングに該当）と、このインレットハウジング１０に保持される複数の普通充電用端子８０Ａ、８０Ｂ、８０Ｃおよび複数の急速充電用端子４０（端子に該当）と、インレットハウジング１０に組み付けられる第１リテーナ９０および第２リテーナ５０（リテーナに該当）とを備えている。
【００１７】
インレットハウジング１０は、合成樹脂製であって、図４に示すように、車両のボディパネルに取り付けられる板状の取付板１１と、この取付板１１から連なるフード部１２と、フード部１２の内部に配される普通充電部２１と急速充電部２２とを備えている。
【００１８】
フード部１２は、図４および図６に示すように、取付板１１を貫通するように配される、全体として角筒状の部分である。フード部１２のうち、取付板１１の一面（図６の左側の面）から突出する部分は、インレットハウジング１０がボディパネルに固定された状態で車両の外側に配される外フード１３であり、取付板１１の他面（図６の右側の面）から突出する部分は、インレットハウジング１０がボディパネルに固定された状態で車両の内側に配される内フード１４である。内フード１４は、図５、図１４および図１６に示すように、互いに向かい合って配置される一対の長壁１５と、一対の長壁１５の端部同士を繋ぐ一対の短壁（第１短壁１６、第２短壁１７）とを備えている。
【００１９】
図５および図１４に示すように、フード部１２の内部において、第１短壁１６に近接する位置には急速充電部２２が配置されており、第２短壁１７に近接する位置には普通充電部２１が配置されている。
【００２０】
普通充電部２１の内部には、図１２に示すように、複数の普通充電用端子８０Ａ、８０Ｂ、８０Ｃが収容されている。普通充電部２１には、図１４に示すように、第１リテーナ９０が組み付けられており、この第１リテーナ９０によって、普通充電用端子８０Ａ、８０Ｂ、８０Ｃの普通充電部２１からの抜け止めが図られている。
【００２１】
急速充電部２２は、図１および図４に示すように、２つの端子収容筒２３（端子収容部に該当）を備えている。各端子収容筒２３は、両端が開口した円筒状をなしている。２つの端子収容筒２３は、軸方向が取付板１１と垂直となる向きで、並んで配置されている。各端子収容筒２３において、内フード１４側の開口部は、図５および図１６に示すように、端子挿入口２４となっている。各端子収容筒２３の内部には、図５および図１６に示すように、端子挿入口２４よりもやや奥方に、円環状の突き当たり壁２５が配置されている。突き当たり壁２５の中心の孔は端子挿通孔２６となっている。
【００２２】
急速充電部２２とフード部１２とは、背壁３１によって接続されている。背壁３１は、図１６に示すように、端子収容筒２３の軸方向と垂直に延び、内フード１４の開口縁と、２つの端子挿入口２４の開口縁とを繋ぐ壁である。
【００２３】
急速充電用端子４０は、急速充電部２２に保持されるピン端子であって、図７に示すように、給電側コネクタに組み付けられた相手側端子と接続される丸棒状の端子接続部４１と、この端子接続部４１から連なるバレル部４２（電線接続部に該当）、第１フランジ４３および第２フランジ４４（リテーナ受け壁に該当）を備えている。バレル部４２は、クローズドバレル形式のバレルであって、端子接続部４１の一端に、端子接続部４１と同軸に配置された円筒状をなしている。このバレル部４２は、バッテリと接続された電線（図示せず）の端末部において露出された芯線が内部に挿入され、芯線にかしめ付けられることで、電線と接続されている。
【００２４】
第１フランジ４３は、端子接続部４１から外側に向かって（端子接続部４１の軸方向に対して垂直方向に）張り出す円形の鍔部であって、端子接続部４１においてバレル部４２と連なる端部に配置されている。第２フランジ４４は、第１フランジ４３と同様に、端子接続部４１から外側に向かって（端子接続部４１の軸方向に対して垂直方向に）張り出す円形の鍔部であって、第１フランジ４３よりも大きな外形を有しており、第１フランジ４３に対して間隔を空けて、第１フランジ４３よりも端子接続部４１の先端に近い位置に配置されている。端子接続部４１において、第１フランジ４３と第２フランジ４４との間に位置する部分は、スリット嵌合部４５となっている。
【００２５】
第２リテーナ５０は、急速充電部２２に保持された急速充電用端子４０を抜け止めするための部材であって、図８、図９、図１０および図１１に示すように、抜け止め壁５１と、この抜け止め壁５１から連なる第１囲み壁６１（囲み壁に該当）および第２囲み壁７１を備えている。
【００２６】
抜け止め壁５１は、図８に示すように、全体として矩形の壁部である。この抜け止め壁５１は、第２リテーナ５０が充電用インレット１に組み付けられた状態では、図１６に示すように、背壁３１に沿って配され、端子収容筒２３に保持された２つの急速充電用端子４０における端子接続部４１の軸方向に対して垂直に配置される。
【００２７】
第１囲み壁６１は、図８に示すように、抜け止め壁５１の周縁から、抜け止め壁５１に対して垂直に延びるＵ字状の壁部である。第１囲み壁６１と抜け止め壁５１とが、内部に内フード部１２の一部を収容するフード収容部６６（ハウジング収容部に該当）を構成している。第１囲み壁６１において、Ｕ字形状の横壁部分は、第１短壁１６に沿って配置される第１底壁６２であり、Ｕ字形状の２つの縦壁部分のそれぞれは、２つの長壁１５のそれぞれにおいて第１短壁１６に隣接する部分に沿って配置される第１側壁６３である。フード収容部６６は、第１底壁６２と反対側に開口部（フード進入口６７；ハウジング進入口に該当）を有している。
【００２８】
第２囲み壁７１は、図９に示すように、抜け止め壁５１から、第１囲み壁６１と反対側に延びるＵ字状の壁部である。第２囲み壁７１は、図１０および図１１に示すように、Ｕ字の大きさが第１囲み壁６１よりも一回り小さくなっており、Ｕ字の向きが第１囲み壁６１と同じ向きとなっている。第２囲み壁７１と抜け止め壁５１とが、バレル部４２と、このバレル部４２に接続された電線の端末部を収容する電線収容部７２を構成している。
【００２９】
抜け止め壁５１は、図８に示すように、２つの抜け止めスリット５２（スリット部に該当）を有している。２つの抜け止めスリット５２のそれぞれは、抜け止め壁５１において、第１底壁６２とは反対側の端縁（フード進入口６７の開口縁）から第１底壁６２に向かって延びるスリット状の切り欠き部であって、第１底壁６２とは反対側の端縁（フード進入口６７の開口縁）に開口部（端子進入口５３）を有している。抜け止めスリット５２のスリット幅は、図１６および図１８に示すように、スリット嵌合部４５の外径と等しいかわずかに大きく、急速充電用端子４０の２つのフランジ４３、４４の外径よりも小さくなっている。
【００３０】
インレットハウジング１０は、図５、図６に示すように、２つの長壁１５のそれぞれから外側に向かって突出する係止突起３２を備えており、２つの第１側壁６３のそれぞれは、図１０に示すように、２つの係止突起３２のそれぞれを受け入れる係止孔６４を有している。
【００３１】
また、第２リテーナ５０は、２つの係止リブ６５（係合部に該当）を備えており、２つの長壁１５のそれぞれは、２つの係止リブ６５のそれぞれを受け入れる係止溝３３（被係合部に該当）を有している。各係止リブ６５は、図１１に示すように、第１側壁６３の延出端（抜け止め壁５１とは反対側の端縁）から内側に向かって（相手側の第１側壁６３に向かって）突出するすじ状の突部であって、図８に示すように、フード進入口６７の開口縁から第１底壁６２に向かって（すなわち、端子収容筒２３に保持された２つの急速充電用端子４０における端子接続部４１の軸方向に対して垂直に）延びている。係止溝３３は、図１９および図２０に示すように、長壁１５の外壁面１５Ｆを基準として凹む細長い溝部であって、図３に示すように、端子収容筒２３に保持された２つの急速充電用端子４０における端子接続部４１の軸方向に対して垂直に延びており、内部に係止リブ６５を受け入れ可能となっている。
【００３２】
次に、インレットハウジング１０に対する急速充電用端子４０と第２リテーナ５０との組み付けについて説明する。
【００３３】
まず、インレットハウジング１０に、電線にかしめ付けられた２つの急速充電用端子４０を組み付ける。各急速充電用端子４０を端子挿入口２４から各端子収容筒２３の内部に挿入する。各急速充電用端子４０が正規位置まで挿入された状態では、図１４および図１５に示すように、端子接続部４１が端子挿通孔２６に挿通され、第２フランジ４４が突き当たり壁２５に当接している。端子接続部４１において第２フランジ４４とそれよりも先端側の部分が端子収容筒２３の内部に収容され、スリット嵌合部４５、第１フランジ４３およびバレル部４２が、端子収容筒２３の外部に露出している。
【００３４】
次に、インレットハウジング１０に第２リテーナ５０を組み付ける。内フード１４を、フード進入口６７からフード収容部６６の内部に進入させる。そして、第２リテーナ５０を、内フード１４に対して、第１短壁１６から第２短壁１７に向かう方向（インレットハウジング１０に保持されている急速充電用端子４０における端子接続部４１の軸方向に対して垂直方向：図３の下から上方向）にスライドさせる。このとき、抜け止め壁５１が、背壁３１に沿って、第１短壁１６から第２短壁１７に向かう方向にスライドする。すなわち、抜け止め壁５１は、端子接続部４２の軸方向に対して垂直な方向に変位する。内フード１４がフード収容部６６の内部に進入していくと、２つの急速充電用端子４０のそれぞれのスリット嵌合部４５が、２つの抜け止めスリット５２のそれぞれの内部に進入していく。また、２つの第１側壁６３が、それぞれ、係止突起３２に乗り上げるようにして外側に開くように撓む。
【００３５】
第２リテーナ５０が正規位置に組み付けられると、図１７および図１８に示すように、各係止突起３２が各係止孔６４の内部に嵌まり込むことで、第２リテーナ５０のインレットハウジング１０からの離脱が規制される。また、図１９および図２０に示すように、各係止溝３３の内部に各係止リブ６５が嵌まり込む。各急速充電用端子４０は、図１８に示すように、スリット嵌合部４５が各抜け止めスリット５２の奥端に達し、図１４、図１５および図１６に示すように、抜け止め壁５１において、各抜け止めスリット５２のスリット縁に隣接する周縁部が、各急速充電用端子４０の第１フランジ４３と第２フランジ４４との間に入り込む。
【００３６】
充電用インレット１の使用中や運搬中などにおいて、何らかの原因によって電線が引っ張られると、急速充電用端子４０に対して、急速充電部２２から離脱しようとする方向に力が加わる。このとき、第２フランジ４４に対して、抜け止め壁５１における抜け止めスリット５２の周縁部が係止することによって、急速充電用端子４０のインレットハウジング１０からの離脱が規制される。
【００３７】
ここで、急速充電用端子４０のバレル部４２は、クローズドバレル形式であり、対応できる電線径に限りがある。このため、充電用インレット１に接続される電線の太さに応じて異なるバレルサイズを有する複数種の急速充電用端子を使い分ける必要があり、従来は、使用する急速充電用端子の種類に応じてリテーナの設計変更を行っていた。
【００３８】
本実施形態では、第２リテーナ５０が、インレットハウジング１０に保持された急速充電用端子４０における端子接続部４１の軸方向に対して垂直な方向（すなわち、急速充電用端子４０のインレットハウジング１０に対する挿抜方向に対して垂直な方向）から組み付けられるようになっている。そして、第２フランジ４４に対して、抜け止め壁５１における抜け止めスリット５２の周縁部が係止することによって、急速充電用端子４０のインレットハウジング１０からの離脱が規制される。このような構成によれば、バレルサイズが異なる複数種の急速充電用端子間で、スリット嵌合部と第２フランジの構成を共通化しておくことによって、充電用インレット１に接続される電線の太さに設計変更があった場合であっても、第２リテーナ５０の設計変更が不要となる。
【００３９】
また、急速充電用端子４０に接続される電線の径が大きい場合には、急速充電用端子４０に対して加わる引っ張り力が大きくなりがちであり、急速充電用端子４０を抜け止めしている第２リテーナ５０に対しても大きな引っ張り力が加わる。
【００４０】
このような大きな引っ張り力に抗して第２リテーナ５０がインレットハウジング１０から外れることを規制するためには、第２リテーナ５０とインレットハウジング１０との係合部分を、急速充電用端子４０の離脱方向に対して垂直な方向に長くすることで、係り代を大きくすることが考えられる。しかし、リテーナをインレットハウジングの後方から（すなわち、端子の挿抜方向と同じ方向から）嵌め付ける従来の構成において、このような構成を採用すると、リテーナをインレットハウジングに嵌め付ける際の抵抗が大きくなってしまい、組み付け作業が困難となってしまったり、リテーナが破損してしまったりするおそれがあった。
【００４１】
本実施形態では、上記したように、第２リテーナ５０を、インレットハウジング１０に対して、端子接続部４１の軸方向に対して垂直な方向から組み付けることができるようになっている。そして、係止溝３３と係止リブ６５とを、端子接続部４１の軸方向に対して垂直な方向（すなわち、第２リテーナ５０のインレットハウジング１０に対する組み付け方向に沿う方向であって、かつ、急速充電用端子４０のインレットハウジング１０に対する挿抜方向に対して垂直な方向）に長くしている。このように、急速充電用端子４０のインレットハウジング１０に対する挿抜方向に対して垂直な方向に、係止溝３３と係止リブ６５との係り代を大きくとり、第２リテーナ５０のインレットハウジング１０に対する組み付け方向に対して垂直な方向には、係止溝３３と係止リブ６５との係り代が大きくならないようにしている。これにより、第２リテーナ５０のインレットハウジング１０に対する組み付け作業が困難となることを避けつつ、大きな引っ張り力に抗して第２リテーナ５０がインレットハウジング１０から外れることを規制することができる。
【００４２】
以上のように本実施形態によれば、充電用インレット１は、端子接続部４１と、この端子接続部４１から連なり、電線に接続されるバレル部４２とを備える急速充電用端子４０と、急速充電用端子４０を保持する端子収容筒２３を備えるインレットハウジング１０と、インレットハウジング１０に組み付けられて急速充電用端子４０のインレットハウジング１０からの離脱を規制する第２リテーナ５０とを備える。第２リテーナ５０は、端子接続部４１の軸方向に対して垂直な方向に変位可能な抜け止め壁５１を備える。抜け止め壁５１は、一端に端子接続部４１が進入可能な端子進入口５３を有するとともに、端子接続部４１の軸方向に対して垂直な方向に延びる抜け止めスリット５２を備える。端子接続部４１が、抜け止めスリット５２の内部に受け入れられるスリット嵌合部４５と、スリット嵌合部４５に隣接して配置され、端子接続部４１の軸方向に対して垂直方向に延びる第２フランジ４４とを備える。
【００４３】
上記の構成によれば、第２リテーナ５０が、端子接続部４１の軸方向に対して垂直な方向（すなわち、急速充電用端子４０のインレットハウジング１０に対する挿抜方向に対して垂直な方向）から組み付けられるようになっている。そして、第２フランジ４４に対して、抜け止め壁５１における抜け止めスリット５２の周縁部が係止することによって、急速充電用端子４０のインレットハウジング１０からの抜け止めが図られる。このような構成によれば、バレル部の設計が異なる複数種の急速充電用端子間で、スリット嵌合部と第２フランジの構成を共通化しておくことによって、充電用インレット１に接続される電線の太さに設計変更があった場合であっても、第２リテーナ５０の設計変更が不要となる。
【００４４】
また、第２リテーナ５０が、抜け止め壁５１から垂直に延びてインレットハウジング１０を囲む第１囲み壁６１を備え、抜け止め壁５１と第１囲み壁６１とが、内部にインレットハウジング１０における内フード１４の一部を収容可能なフード収容部６６を構成しており、フード収容部６６が、端子進入口５３が配置されている一端に、内フード１４が進入可能なフード進入口６７を有している。
【００４５】
このような構成によれば、抜け止めスリット５２とフード収容部６６とが、同じ側に開口部（端子進入口５３、フード進入口６７）を有しているから、第２リテーナ５０を、インレットハウジング１０に対して、端子接続部４１の軸方向に対して垂直な方向から組み付けることができる。
【００４６】
さらに、インレットハウジング１０が、第１囲み壁６１と対向する内フード１４の外壁面１５Ｆから凹む係止溝３３を有している。係止溝３３は、インレットハウジング１０に保持された端子接続部４１の軸方向に対して垂直な方向に延びている。そして、第２リテーナ５０が、係止溝３３に収容される係止リブ６５を備える。係止リブ６５は、第１囲み壁６１から突出し、インレットハウジング１０に保持された端子接続部４１の軸方向に対して垂直な方向に延びている。
【００４７】
本実施形態では、第２リテーナ５０を、インレットハウジング１０に対して、端子接続部４１の軸方向に対して垂直な方向から組み付けることができるようになっている。このため、第２リテーナ５０とインレットハウジング１０との係合部分を、第２リテーナ５０のハウジングに対する組み付け方向に沿う方向に大きくすることなく、急速充電用端子４０の離脱方向に対して垂直な方向に長くすることができる。これにより、第２リテーナ５０のインレットハウジング１０に対する組み付け作業が困難となることを避けつつ、第２リテーナ５０とインレットハウジング１０との係り代を、急速充電用端子４０の離脱方向に対して垂直な方向に大きくとり、大きな引っ張り力に抗して第２リテーナ５０がインレットハウジング１０から外れることを規制することができる。
【００４８】
＜他の実施形態＞
本明細書によって開示される技術は上記記述及び図面によって説明した実施形態に限定されるものではなく、例えば次のような種々の態様も含まれる。
（１）上記実施形態では、２つの急速充電用端子４０がインレットハウジング１０に組み付けられていたが、ハウジングに保持される端子は１つでもよく、３つ以上であっても構わない。
【００４９】
（２）上記実施形態では、充電用インレット１が、コンボ方式に適合したコネクタであったが、充電用インレットが、コンボ方式以外の方式に適合したコネクタであってもよく、例えば、普通充電用のコネクタと急速充電用のコネクタとが別体となったコネクタであっても構わない。
【００５０】
（３）上記実施形態では、係止リブ６５が囲み壁６１に配され、係止溝３３が内フード１４の外壁面１５Ｆに配されていたが、係合部がハウジングの外壁面に配され、被係合部が囲み壁に配されていても構わない。
【００５１】
（４）上記実施形態では、係合部が係止リブ６５であり、被係合部が係止溝３３であったが、係合部と被係合部の構成は上記実施形態の限りではなく、リテーナに対して端子の離脱方向に加わる力に抗して互いに係合し合う構成であればよい。
【符号の説明】
【００５２】
１…充電用インレット
１０…インレットハウジング（ハウジング）
１５Ｆ…外壁面
２３…端子収容筒（端子収容部）
３３…係止溝（被係合部）
４０…急速充電用端子（端子）
４１…端子接続部
４２…バレル部（電線接続部）
４４…第２フランジ（リテーナ受け壁）
４５…スリット嵌合部
５０…第２リテーナ（リテーナ）
５１…抜け止め壁
５２…抜け止めスリット（スリット部）
５３…端子進入口
６１…第１囲み壁（囲み壁）
６５…係止リブ（係合部）
６６…フード収容部（ハウジング収容部）
６７…フード進入口（ハウジング進入口）
【図１】
2019102325.tif 000003
【図２】
2019102325.tif 000004
【図３】
2019102325.tif 000005
【図４】
2019102325.tif 000006
【図５】
2019102325.tif 000007
【図６】
2019102325.tif 000008
【図７】
2019102325.tif 000009
【図８】
2019102325.tif 000010
【図９】
2019102325.tif 000011
【図１０】
2019102325.tif 000012
【図１１】
2019102325.tif 000013
【図１２】
2019102325.tif 000014
【図１３】
2019102325.tif 000015
【図１４】
2019102325.tif 000016
【図１５】
2019102325.tif 000017
【図１６】
2019102325.tif 000018
【図１７】
2019102325.tif 000019
【図１８】
2019102325.tif 000020
【図１９】
2019102325.tif 000021
【図２０】
2019102325.tif 000022